(57)【要約】【課題】  色の変換精度を低減させずに多次元ルックアップテーブルの容量及び画像処理の負荷を低減させる画像処理装置を提供する。【解決手段】  ５色以上の成分の入力色情報を、少なくとも１色の成分の第１の入力色情報と、残りの色の成分の第２の入力色情報に分離する入力色情報分離部１１と、入力色情報にプロファイル情報が添付されている場合に、プロファイル情報が有する第１の入力色情報を構成する色の成分に基づいて、第１の入力色情報を第２の入力色情報を構成する色の成分に分割する入力色情報分割部１２と、第２の入力色情報に、分割されたそれぞれの第１の入力色情報を、第２の入力色情報を構成する色の各成分に対応させて合成する入力色情報合成部１３と、第２の入力色情報を、プロファイル情報が有する第２の入力色情報を構成する色の成分に基づいて生成される新プロファイル情報により変換する入力色情報変換部１４とを有することを特徴とする。【選択図】  図１
2008177826.tif 000002
【特許請求の範囲】
【請求項１】
５色以上の成分で構成される入力色情報を、少なくとも１色の成分で構成される第１の入力色情報と、残りの色の成分で構成される第２の入力色情報とに分離する分離手段と、
前記入力色情報にプロファイル情報が添付されている場合に、前記プロファイル情報が有する前記第１の入力色情報を構成する色の成分に基づいて、前記第１の入力色情報を前記第２の入力色情報を構成する色の成分に分割する分割手段と、
前記第２の入力色情報に、分割されたそれぞれの第１の入力色情報を、前記第２の入力色情報を構成する色の各成分に対応させて合成する合成手段と、
合成された前記第２の入力色情報を、前記プロファイル情報が有する前記第２の入力色情報を構成する色の成分に基づいて生成され、記憶手段に記憶される新プロファイル情報により変換する変換手段と、
を有することを特徴とする画像処理装置。
【請求項２】
前記第１の入力色情報の成分は、シアン、マゼンタ、黄及び黒以外の色の成分であることを特徴とする請求項１に記載の画像処理装置。
【請求項３】
５色以上の成分で構成される入力色情報を黒の成分で構成される第１の入力色情報と、残りの色の成分で構成される第２の入力色情報とに分離する分離手段と、
前記入力色情報にプロファイル情報が添付されている場合に、前記第２の入力色情報を、前記プロファイル情報が有する前記第２の入力色情報を構成する色の成分に基づいて生成され、記憶手段に記憶される新プロファイル情報により変換する変換手段と、
前記第１の入力色情報の成分を階調補正条件に基づいて補正する補正手段と、
前記第２の入力色情報の黒の成分に、補正された第１の入力色情報を合成する合成手段と、
を有することを特徴とする画像処理装置。
【請求項４】
５色以上の成分で構成される入力色情報を黒の成分で構成される第１の入力色情報と、黒を除く少なくとも１色の成分で構成される第２の入力色情報と、残りの色の成分で構成される第３の入力色情報とに分離する分離手段と、
前記入力色情報にプロファイル情報が添付されている場合に、前記プロファイル情報が有する前記第２の入力色情報を構成する色の成分に基づいて、前記第２の入力色情報を前記第３の入力色情報を構成する色の成分に分割する分割手段と、
前記第３の入力色情報に、分割されたそれぞれの第２の入力色情報を、前記第３の入力色情報を構成する色の各成分に対応させて合成する第１の合成手段と、
前記第３の入力色情報を、前記プロファイル情報が有する前記第３の入力色情報を構成する色の成分に基づいて生成され、記憶手段に記憶される新プロファイル情報により変換する変換手段と、
前記第１の入力情報の成分を階調補正条件に基づいて補正する補正手段と、
前記第３の入力色情報の黒の成分に、補正された第１の入力色情報を合成する第２の合成手段と、
を有することを特徴とする画像処理装置。
【請求項５】
前記分割手段は、前記プロファイル情報が有する前記第１の入力色情報を構成する色の成分の最大値により色相に関する色相情報を算出し、前記色相情報に基づいて前記第１の入力色情報の成分比率を決定することを特徴とする請求項１から４のいずれか１項に記載の画像処理装置。
【請求項６】
５色以上の成分で構成される入力色情報入力色情報を少なくとも１色の成分で構成される第１の入力色情報と、残りの色の成分で構成される第２の入力色情報とに分離し、
前記入力色情報にプロファイル情報が添付されている場合に、前記プロファイル情報が有する前記第１の入力色情報を構成する色の成分に基づいて、前記第１の入力色情報を前記第２の入力色情報を構成する色の成分に分割し、
前記第２の入力色情報に、分割されたそれぞれの第１の入力色情報を、前記第２の入力色情報を構成する色の各成分に対応させて合成し、
前記第２の入力色情報を、前記プロファイル情報が有する前記第２の入力色情報を構成する色の成分に基づいて生成され、記憶手段に記憶される新プロファイル情報により変換することを特徴とする画像処理方法。
【請求項７】
５色以上の成分で構成される入力色情報を、少なくとも１色の成分で構成される第１の入力色情報と、残りの色の成分で構成される第２の入力色情報とに分離するステップと、
前記入力色情報にプロファイル情報が添付されている場合に、前記プロファイル情報が有する前記第１の入力色情報を構成する色の成分に基づいて、前記第１の入力色情報を前記第２の入力色情報を構成する色の成分に分割するステップと、
前記第２の入力色情報に、分割されたそれぞれの第１の入力色情報を、前記第２の入力色情報を構成する色の各成分に対応させて合成するステップと、
前記第２の入力色情報を、前記プロファイル情報が有する前記第２の入力色情報を構成する色の成分に基づいて生成され、記憶手段に記憶される新プロファイル情報により変換するステップと、
をコンピュータに実行させることを特徴とする画像処理プログラム。
【発明の詳細な説明】
【技術分野】
【０００１】
本発明は、画像処理技術に関し、特に、カラーマネジメントシステムの技術に関する。
【背景技術】
【０００２】
液晶ディスプレイ等の画像表示装置、スキャナ等の画像入力装置、カラープリンタ等の画像出力装置等、各装置間での正確な色合わせを実現するためのカラーマネジメントシステムが知られている。当該技術によれば、各装置の再現できる色の範囲が異なるという原理的問題や、各装置の採用しているカラースペース（色空間）が異なるため相互変換が複雑化し、統一的な取扱いができないという技術的問題を抑制している。
【０００３】
このようなカラーマネジメントシステムでは、装置間における正確な色合わせを実現するために、一般に、画像入力装置で入力されたカラー画像（以下、入力色情報という。）を画像出力装置での色の再現範囲内の入力色情報に変換している。そして、当該変換は多次元ルックアップテーブルを利用して行われることが多く、例えば、特許文献１や特許文献２では、多次元ルックアップテーブルを利用して色の変換機能を向上させる発明が開示されている。
【特許文献１】特開２００２−３５４２７６号公報
【特許文献２】特開２００４−２４８０６６号公報
【発明の開示】
【発明が解決しようとする課題】
【０００４】
ところで、特許文献１に開示される発明では、色変換の精度を向上させているが、入力色情報の色の成分が増加するに伴い、色変換処理に利用する多次元ルックアップテーブルの容量が増加するため、必ずしも好適な容量抑制とはなっていない。また、特許文献２に開示される発明では、精度の粗密さを考慮しつつ入力色情報の色の成分に応じて演算ビット数を異ならせ、かつ、色値と色変換係数とに基づいて補完演算処理を行うため、従来の格子点テーブル方式の色変換よりも全体的に色変換精度が落ちる可能性がある。
【０００５】
本発明は、このような問題点に鑑みてなされたものであり、色の変換精度を低減させずに、多次元ルックアップテーブルの容量及び画像処理の負荷を低減させる画像処理装置、画像処理方法及び画像処理プログラムを提供することを目的とする。
【課題を解決するための手段】
【０００６】
本発明の画像処理装置は、５色以上の成分で構成される入力色情報を、少なくとも１色の成分で構成される第１の入力色情報と、残りの色の成分で構成される第２の入力色情報とに分離する分離手段と、入力色情報にプロファイル情報が添付されている場合に、プロファイル情報が有する第１の入力色情報を構成する色の成分に基づいて、第１の入力色情報を第２の入力色情報を構成する色の各成分に分割する分割手段と、第２の入力色情報に、分割されたそれぞれの第１の入力色情報を、第２の入力色情報を構成する色の各成分に対応させて合成する合成手段と、第２の入力色情報を、プロファイル情報が有する第２の入力色情報を構成する色の成分に基づいて生成され、記憶手段に記憶される新プロファイル情報により変換する変換手段と、を有することを特徴としている。
この構成によれば、入力色情報の色の成分数を減らしてから、色変換処理が行われるようになり、変換処理の処理負荷を低減させることができるとともに、変換処理に必要な多次元ルックアップテーブルの容量も低減させることができる。
【０００７】
また、本発明は、第１の入力色情報の成分を、シアン、マゼンタ、黄及び黒以外の色の成分としてもよい。
【０００８】
また、本発明は、５色以上の成分で構成される入力色情報を黒の成分で構成される第１の入力色情報と、残りの色の成分で構成される第２の入力色情報とに分離する分離手段と、入力色情報にプロファイル情報が添付されている場合に、第２の入力色情報を、プロファイル情報が有する第２の入力色情報を構成する色の成分に基づいて生成され、記憶手段に記憶される新プロファイル情報により変換する変換手段と、第１の入力色情報の成分を階調補正条件に基づいて補正する補正手段と、第２の入力色情報の黒の成分に、補正された第１の入力色情報を合成する合成手段とを有することを特徴としている。
この構成によれば、入力色情報の黒の成分を階調補正することで、色変換精度を落とさないようにすることができる。
【０００９】
また、本発明は、５色以上の成分で構成される入力色情報を黒の成分で構成される第１の入力色情報と、黒を除く少なくとも１色の成分で構成される第２の入力色情報と、残りの色の成分で構成される第３の入力色情報とに分離する分離手段と、入力色情報にプロファイル情報が添付されている場合に、プロファイル情報が有する第２の入力色情報を構成する色の成分に基づいて、第２の入力色情報を第３の入力色情報を構成する色の成分に分割する分割手段と、第３の入力色情報に、分割されたそれぞれの第２の入力色情報を、第３の入力色情報を構成する色の各成分に対応させて合成する第１の合成手段と、第３の入力色情報を、プロファイル情報が有する第３の入力色情報を構成する色の成分に基づいて生成され、記憶手段に記憶される新プロファイル情報により変換する変換手段と、第１の入力情報の成分を階調補正条件に基づいて補正する補正手段と、第３の入力色情報の黒の成分に、補正された第１の入力色情報を合成する第２の合成手段と、を有することを特徴としている。
この構成によれば、入力色情報の色の成分数を減らしてから、色変換処理が行われるようになり、変換処理の処理負荷を低減させることができるとともに、変換処理に必要な多次元ルックアップテーブルの容量も低減させることができ、さらに、色変換精度を落とさないようにすることができる。
【００１０】
また、本発明は、分割手段は、プロファイル情報が有する第１の入力色情報を構成する色の成分の最大値により色相に関する色相情報を算出し、色相情報に基づいて第１の入力色情報の成分比率を決定するようにしてもよい。
【００１１】
また、本発明の画像処理方法は、５色以上の成分で構成される入力色情報入力色情報を少なくとも１色の成分で構成される第１の入力色情報と、残りの色の成分で構成される第２の入力色情報とに分離し、入力色情報にプロファイル情報が添付されている場合に、プロファイル情報が有する第１の入力色情報を構成する色の成分に基づいて、第１の入力色情報を第２の入力色情報を構成する色の成分に分割し、第２の入力色情報に、分割されたそれぞれの第１の入力色情報を、第２の入力色情報を構成する色の各成分に対応させて合成し、第２の入力色情報を、プロファイル情報が有する第２の入力色情報を構成する色の成分に基づいて生成され、記憶手段に記憶される新プロファイル情報により変換することを特徴としている。
この構成によれば、入力色情報の色の成分数を減らしてから、色変換処理が行われるようになり、変換処理の処理負荷を低減させることができるとともに、変換処理に必要な多次元ルックアップテーブルの容量も低減させることができる。
【００１２】
また、本発明の画像処理プログラムは、５色以上の成分で構成される入力色情報を、少なくとも１色の成分で構成される第１の入力色情報と、残りの色の成分で構成される第２の入力色情報とに分離するステップと、入力色情報にプロファイル情報が添付されている場合に、プロファイル情報が有する第１の入力色情報を構成する色の成分に基づいて、第１の入力色情報を第２の入力色情報を構成する色の成分に分割するステップと、第２の入力色情報に、分割されたそれぞれの第１の入力色情報を、第２の入力色情報を構成する色の各成分に対応させて合成するステップと、第２の入力色情報を、プロファイル情報が有する第２の入力色情報を構成する色の成分に基づいて生成され、記憶手段に記憶される新プロファイル情報により変換するステップと、をコンピュータに実行させることを特徴としている。
この構成によれば、入力色情報の色の成分数を減らしてから、色変換処理が行われるようになり、変換処理の処理負荷を低減させることができるとともに、変換処理に必要な多次元ルックアップテーブルの容量も低減させることができる。
【発明の効果】
【００１３】
本発明によれば、入力色情報の色の変換精度を低減させずに、多次元ルックアップテーブルの容量及び画像処理の負荷を低減させることができる。
【発明を実施するための最良の形態】
【００１４】
以下、本発明の実施の形態について、図面を参照して具体的に説明する。
（第１実施形態）
図１は本発明の第１実施形態に係る画像処理装置の機能ブロック図である。尚、図１に示す各機能ブロックは、例えば、ＣＰＵ（Central Processing Unit）等の処理装置、ＤＲＡＭ(Dynamic Random Access Memory)、ＳＲＡＭ（Static RAM）、ＲＯＭ(Read Only Memory)等の半導体記憶装置、ＨＤ（Hard Disc）等の磁気ディスク及び所要のソフトウェア等により構成され、ＣＰＵがＲＯＭに格納された所要のプログラムを読み込み、当該プログラムに従った演算を行うことにより各機能が実現される。また、後述する機能ブロックについても同様とする。
【００１５】
第１実施形態に係る画像処理装置は、図１に示すように、入力色情報分離部１１、入力色情報分割部１２、入力色情報合成部１３、入力色情報変換部１４、新プロファイル情報記憶部１５等から構成される。
【００１６】
入力色情報分離部１１は、本発明の分離手段の一例であって、５色以上の成分で構成される入力色情報を、少なくとも１色の成分で構成される第１の入力色情報と、残りの色の成分で構成される第２の入力色情報とに分離する。例えば、シアン（Cyan）、マゼンタ（Magenta）、黄（Yellow）、黒（blacK）、赤（Red）、緑（Green）及び青(Blue)の７色の成分で構成される入力色情報を、図１に示すように、赤、緑、青の成分で構成される第１の入力色情報（図１においてβと示す。）と、シアン、マゼンタ、黄、黒の成分で構成される第２の入力色情報とに分離する。分離された第１の入力色情報は、入力色情報分離部１２へ送信され、第２の入力色情報は、入力色情報合成部１３へ送信される。
【００１７】
尚、入力色情報の分離は、これに限られず、例えば、シアン、マゼンタ、黄、黒の４色と、赤、緑、青のいずれか１色との５色の成分で構成される入力色情報を、黒の成分で構成される第１の入力色情報と、それ以外色の成分で構成される第２の入力色情報とに分離したり、シアン、マゼンタ、黄、黒、赤、緑、青の７色の成分で構成される入力色情報を、黒の成分で構成される第１の入力色情報と、赤、緑及び青の成分で構成される第２の入力色情報と、シアン、マゼンタ、黄の成分で構成される第３の入力色情報とに分離したりするようにしてもよい。
【００１８】
入力色情報分割部１２は、本発明の分割手段の一例であって、入力色情報にプロファイル情報が添付されている場合に、プロファイル情報が有する第１の入力色情報を構成する色の成分に基づいて、第１の入力色情報を第２の入力色情報を構成する色の黒の成分を除く各成分に分割する。例えば、赤、緑、青の成分で構成される第１の入力色情報を、第２の入力色情報を構成するシアン、マゼンタ、黄、黒のうち、黒を除くシアン、マゼンタ、黄の成分比率に基づいて、新たなシアン、マゼンタ、黄（図１において、それぞれＣ´、Ｍ´、Ｙ´と示す。）を生成するように分割する。尚、プロファイル情報には、例えば、ＩＣＣプロファイル等がある。分割された各入力色情報は、入力色情報合成部１３へ送信される。
【００１９】
入力色情報合成部１３は、本発明の合成手段または第１の合成手段の一例であって、第２の入力色情報に、分割されたそれぞれの第１の入力色情報を、第２の入力色情報を構成する色の各成分に対応させて合成する。例えば、第２の入力色情報のシアンの成分に対して、入力色情報分割部１２で分割された第１の入力色情報のシアンＣ´の成分を合成し、第２の入力色情報のマゼンタの成分に対して、第１の入力色情報分割部１２で分割された入力色情報のマゼンタの成分Ｍ´を合成し、第２の入力色情報の黄の成分に対して、第１の入力色情報分割部１２で分割された入力色情報の黄の成分Ｙ´を合成する。このように、分離された入力色情報を成分ごとに分割して、合成することで、色の精度が低減されないようにしている。
【００２０】
入力色情報変換部１４は、本発明の変換手段の一例であって、合成された第２の入力色情報を、プロファイル情報が有する第２の入力色情報を構成する色の成分に基づいて生成され、本発明の記憶手段の一例である新プロファイル情報記憶部１５に記憶される新プロファイル情報により変換する。尚、入力色情報変換部１４及び新プロファイル情報記憶部１５等から多次元ルックアップテーブルが構成される。
【００２１】
続いて、第１実施形態に係る画像処理装置の動作について図２及び図３を参照して説明する。
図２は第１実施形態に係る画像処理装置の処理の一例を示すフローチャート、図３は当該画像処理装置の処理の一部を詳細に示すフローチャートである。
画像処理装置は、まず、入力色情報をシアン、マゼンタ、黄、黒の成分と、これらの色以外の色、例えば、赤、緑及び青の成分とに分離する（ステップＳ１）。画像処理装置は、次いで、入力色情報にプロファイル情報が添付されているか否かを判断する（ステップＳ２）。
【００２２】
画像処理装置は、ステップＳ２の処理においてプロファイル情報が添付されていると判断した場合に、プロファイル情報からシアン、マゼンタ、黄、黒以外のプロファイル情報の成分、すなわち、赤、緑及び青の成分を取得する（ステップＳ３）。画像処理装置は、次いで、取得した各成分から色相情報ｈを算出する（ステップＳ４）。尚、色相情報ｈは、色度（色相及び彩度）をそれぞれａ＊、ｂ＊で表した場合に、ｈ＝ｔａｎ−１（ａ＊／ｂ＊）で表される。
【００２３】
画像処理装置は、次いで、シアン、マゼンタ、黄、黒以外の入力色情報を、算出した色相情報に応じてシアン、マゼンタ、黄を新たな成分とする入力色情報を生成するように分割する（ステップＳ５）。そして、生成された入力色情報を、入力色情報分離部１１から送信され、シアン、マゼンタ、黄、黒を成分とする入力色情報の、シアン、マゼンタ、黄の各成分に対応させて合成する（ステップＳ６）。
【００２４】
画像処理装置は、次いで、入力色情報に添付されるプロファイル情報からシアン、マゼンタ、黄、黒を成分とする新たなプロファイル情報を生成し（ステップＳ７）、新プロファイル情報記憶部１５に記憶する。そして、当該プロファイル情報を利用して、入力色情報を変換する（ステップＳ８）。
【００２５】
一方で、画像処理装置がステップＳ２の処理においてプロファイル情報が添付されていなかったり、破損していたりすると判断した場合には、シアン、マゼンタ、黄、黒以外の色は、基準ＲＧＢであるｓＲＧＢ（Standard RGB）のいずれかの色であると判断して、予め記憶手段等に記憶される当該ｓＲＧＢの色相情報を選択する（ステップＳ９）。
【００２６】
画像処理装置は、次いで、シアン、マゼンタ、黄、黒以外の入力色情報を、選択した色相情報に応じてシアン、マゼンタ、黄を新たな成分とする入力色情報Ｃ´、Ｍ´、Ｙ´を生成するように分割する（ステップＳ１０）。そして、生成された入力色情報を、入力色情報分離部１１から送信され、シアン、マゼンタ、黄、黒を成分とする入力色情報の、シアン、マゼンタ、黄の各成分に対応させて合成する（ステップＳ１１）。
【００２７】
画像処理装置は、次いで、シアン、マゼンタ、黄、黒を成分とする新たなプロファイル情報を選択し（ステップＳ１２）、新プロファイル情報記憶部１５に記憶する。そして、当該プロファイル情報を利用して、入力色情報を変換する（ステップＳ８）。
【００２８】
さらに、上述したステップＳ５からステップＳ６の処理、及び、ステップＳ１０からステップＳ１１の処理について図３を参照して詳細に説明する。
【００２９】
画像処理装置は、まず、図２におけるステップＳ４またはステップＳ９の処理を終了すると、シアン、マゼンタ、黄、黒以外の入力色情報（第１の入力色情報）が、マゼンタと黄との間に含まれる色か、すなわち、当該入力色情報がマゼンタ以上黄色未満であるか否か判断する（ステップＳ２１）。
【００３０】
画像処理装置は、第１の入力色情報がマゼンタ以上黄未満であると判断した場合には、色相情報から、第１の入力色情報のマゼンタ成分と、黄の成分との成分比率を算出して、新たなマゼンタの成分Ｍ´と黄の成分Ｙ´とを生成するように分割する（ステップＳ２２）。そして、生成された新たなマゼンタ成分Ｍ´と黄の成分Ｙ´を、第２の入力色情報のマゼンタの成分、黄の成分にそれぞれ対応させて合成する（ステップＳ２３）。
【００３１】
一方、画像処理装置が、ステップＳ２１の処理において、第１の入力色情報がマゼンタ以上黄色未満でないと判断した場合には、さらに、シアン、マゼンタ、黄、黒以外の入力色情報（第１の入力色情報）が、黄とシアンとの間に含まれる色か、すなわち、当該入力色情報が黄以上シアン未満であるか否か判断する（ステップＳ２４）。
【００３２】
画像処理装置は、第１の入力色情報が黄以上シアン未満であると判断した場合には、色相情報から、第１の入力色情報の黄の成分と、シアンの成分との成分比率を算出して、新たな黄の成分Ｙ´とシアンの成分Ｃ´とを生成するように分割する（ステップＳ２５）。そして、生成された新たな黄の成分Ｙ´とシアンの成分Ｃ´を、第２の入力色情報の黄の成分、シアンの成分にそれぞれ対応させて合成する（ステップＳ２６）。
【００３３】
一方、画像処理装置が、ステップＳ２４の処理において、第１の入力色情報が黄以上シアン未満でないと判断した場合には、色相情報から、第１の入力色情報のシアンの成分と、マゼンタの成分との成分比率を算出して、新たなシアンの成分Ｃ´とマゼンタの成分Ｍ´とを生成するように分割する（ステップＳ２７）。そして、生成された新たなシアンの成分Ｃ´とマゼンタの成分Ｍ´を、第２の入力色情報のシアンの成分、マゼンタの成分にそれぞれ対応させて合成する（ステップＳ２８）。
【００３４】
このように、５色以上の色の成分で構成される入力色情報を例えばシアン、マゼンタ、黄色、黒で構成される第２の入力色情報と、それ以外の色で構成される第１の入力色情報とに分離し、添付されるプロファイル情報に基づいて、第１の入力色情報を第２の入力色情報の成分比率に応じて分割し、分割されて生成された各成分の第１の入力色情報を、第２の入力色情報の各成分に対応させて合成することで、色の精度の低減が抑制される。また、上述したとおり、変換処理を行う前に入力色情報の成分が減るため（例えば７色から４色）、変換処理の処理負荷が従来と比較して低減されると共に、変換処理に必要なルックアップテーブルの容量も減らす（例えば７色×７色から４色×４色）ことが可能となる。
【００３５】
（第２実施形態）
続いて、本発明の第２実施形態に係る画像処理装置について図面を参照して説明する。
図４は第２実施形態に係る画像処理装置の機能ブロック図である。尚、図１に示される画像処理装置の各部と同様の構成には同一符号を付し、その説明を省略する。また、後述する機能ブロック図についても同様とする。
【００３６】
画像処理装置は、図４に示すように、入力色情報分離部１１、入力色情報変換部１４、新プロファイル情報記憶部１５、Ｋ色情報補正部１６、Ｋ色情報合成部１７等から構成される。
【００３７】
Ｋ色情報補正部１６は、本発明の補正手段の一例であって、第１の入力情報の成分を階調補正条件に基づいて補正する。すなわち、入力色情報分離部１１によって分離された、黒の成分で構成される第１の入力色情報を階調補正条件に基づいて補正する。尚、階調補正処理は、トーンカーブによる階調補正やガンマ補正等によって実現できる。補正された第１の入力色情報は、Ｋ色情報合成部１７へ送信される。
【００３８】
Ｋ色情報合成部１７は、本発明の合成手段または第２の合成手段の一例であって、入力色情報変換部１４で変換された第２の入力色情報の黒の成分に、階調補正された第１の入力色情報を合成する。
【００３９】
続いて、第２実施形態に係る画像処理装置の動作について図５を参照して説明する。
図５は第２実施形態に係る画像処理装置の処理の一例を示すフローチャートである。
画像処理装置は、まず、入力色情報を黒の成分と、黒以外の色の成分、例えば、シアン、マゼンタ及び黄の３色、並びに、赤、緑及び青のいずれか１色（以下において、β２という。）の計４色とに分離する（ステップＳ３１）。画像処理装置は、次いで、入力色情報にプロファイル情報が添付されているか否かを判断する（ステップＳ３２）。
【００４０】
画像処理装置は、ステップＳ３２の処理においてプロファイル情報が添付されていると判断した場合に、入力色情報に添付されるプロファイル情報からシアン、マゼンタ、黄、及びβ２を成分とする新たなプロファイル情報を生成し、新プロファイル情報記憶部１５に記憶する（ステップＳ３３）。一方で、ステップＳ３２の処理においてプロファイル情報が添付されていないと判断した場合に、シアン、マゼンタ、黄、及びβ２を成分とする新たなプロファイル情報を選択し、新プロファイル情報記憶部１５に記憶する（ステップＳ３４）。
【００４１】
画像処理装置は、次いで、生成された新たなプロファイル情報または選択された新たなプロファイル情報を利用して、入力色情報（第２の入力色情報）を変換する（ステップＳ３５）。さらに、画像処理装置は、分離された黒の成分で構成される入力色情報（第１の入力色情報）に階調補正を行い（ステップＳ３６）、変換された入力色情報の黒の成分に合成する（ステップＳ３７）。このように、入力色情報の黒の成分のみを分離し、階調補正処理を行った後、合成することで、色変換の精度が低減することを抑制できる。
【００４２】
（第３実施形態）
続いて、本発明の第３実施形態に係る画像処理装置について図面を参照して説明する。
図６は第３実施形態に係る画像処理装置の機能ブロック図である。
第３実施形態に係る画像処理装置は、図６に示すように、入力色情報分離部１１、入力色情報分割部１２、入力色情報合成部１３、入力色情報変換部１４、新プロファイル情報記憶部１５、Ｋ色情報補正部１６、Ｋ色情報合成部１７等から構成される。
【００４３】
すなわち、本実施形態に係る画像処理装置は、上述した第１実施形態に係る画像処理装置の機能と、第２実施形態に係る画像処理装置の機能とを組み合わせた構成を有している。
【００４４】
続いて、第３実施形態に係る画像処理装置の動作について図７を参照して説明する。
図７は第３実施形態に係る画像処理装置の処理の一例を示すフローチャートである。
画像処理装置は、まず、入力色情報を第１の入力色情報となる黒の成分と、第３の入力色情報となるシアン、マゼンタ及び黄の成分と、第２の入力色情報となる、前述した色以外の成分、例えば、赤、緑及び青の成分（以下において、β３という。）とに分離する（ステップＳ４１）。画像処理装置は、次いで、入力色情報にプロファイル情報が添付されているか否かを判断する（ステップＳ４２）。
【００４５】
画像処理装置は、ステップＳ４２の処理においてプロファイル情報が添付されていると判断した場合に、プロファイル情報からシアン、マゼンタ、黄、黒以外のプロファイル情報の成分、例えば、赤、緑及び青の成分を取得する（ステップＳ４３）。画像処理装置は、次いで、取得したプロファイル情報から色相情報を算出する（ステップＳ４４）。
【００４６】
画像処理装置は、次いで、シアン、マゼンタ、黄、黒以外の入力色情報を、算出した色相情報に応じてシアン、マゼンタ、黄を新たな成分（図６においてそれぞれＣ´、Ｍ´、Ｙ´と示す。）とする入力色情報を生成するように分割する（ステップＳ４５）。そして、生成された入力色情報を、入力色情報分離部１１から送信され、シアン、マゼンタ、黄、黒を成分とする入力色情報の、シアン、マゼンタ、黄の各成分に対応させて合成する（ステップＳ４６）。
【００４７】
画像処理装置は、次いで、入力色情報に添付されるプロファイル情報からシアン、マゼンタ、黄、黒を成分とする新たなプロファイル情報を生成し（ステップＳ４７）、新プロファイル情報記憶部１５に記憶する。そして、当該プロファイル情報を利用して、入力色情報を変換する（ステップＳ４８）。画像処理装置は、次いで、分離された黒の成分で構成される入力色情報（第１の入力色情報）に階調補正を行い（ステップＳ４９）、変換された入力色情報（第３の入力色情報）の黒の成分に合成する（ステップＳ５０）。
【００４８】
一方で、画像処理装置がステップＳ４２の処理においてプロファイル情報が添付されていなかったり、破損していたりすると判断した場合には、シアン、マゼンタ、黄、黒以外の色は、ｓＲＧＢのいずれかの色であると判断して、予め記憶手段などに記憶される当該ｓＲＧＢの色相情報を選択する（ステップＳ５１）。
【００４９】
画像処理装置は、次いで、シアン、マゼンタ、黄、黒以外の入力色情報を、選択した色相情報に応じてシアン、マゼンタ、黄を新たな成分とする入力色情報を生成するように分割する（ステップＳ５２）。そして、生成された入力色情報を、入力色情報分離部１１から送信され、シアン、マゼンタ、黄、黒を成分とする入力色情報の、シアン、マゼンタ、黄の各成分に対応させて合成する（ステップＳ５３）。画像処理装置は、次いで、シアン、マゼンタ、黄、黒のプロファイル情報を選択し（ステップＳ５４）、ステップＳ４８の処理において入力色情報の変換を行う。このように、第１の実施形態に係る画像処理装置の要素と第２の実施形態に係る画像処理装置の要素とを組み合わせた構成とすることもできる。これにより、上述した実施形態よりも変換処理の処理負荷が低減されると共に、変換処理に必要なルックアップテーブルの容量も減らすことが可能となる。
【００５０】
尚、本発明は、上述した第１実施形態から第３実施形態に限定されるものではなく、その要旨を逸脱しない範囲内で種々変形して実施することが可能である。例えば、本発明のプログラムを通信手段により提供することはもちろん、ＣＤ−ＲＯＭ等の記録媒体に格納して提供することも可能である。また、入力色情報を５色以上としたが、２色以上であっても実施することが可能である。
【産業上の利用可能性】
【００５１】
以上説明したように、本発明によれば、入力色情報の色の変換精度を低減させずに、多次元ルックアップテーブルの容量及び画像処理の負荷を低減させることができ、産業上の利用可能性が高い。
【図面の簡単な説明】
【００５２】
【図１】第１実施形態に係る画像処理装置の要部構成を示す機能ブロック図である。
【図２】第１実施形態に係る画像処理装置の処理の一例を示すフローチャートである。
【図３】第１実施形態に係る画像処理装置の処理の一部を詳細に示すフローチャートである。
【図４】第２実施形態に係る画像処理装置の要部構成を示す機能ブロック図である。
【図５】第２実施形態に係る画像処理装置の処理の一例を示すフローチャートである。
【図６】第３実施形態に係る画像処理装置の要部構成を示す機能ブロック図である。
【図７】第３実施形態に係る画像処理装置の処理の一例を示すフローチャートである。
【符号の説明】
【００５３】
１１  入力色情報分離部
１２  入力色情報分割部
１３  入力色情報合成部
１４  入力色情報変換部
１５  新プロファイル情報記憶部
１６  Ｋ色情報補正部
１７  Ｋ色情報合成部
【図１】
2008177826.tif 000003
【図２】
2008177826.tif 000004
【図３】
2008177826.tif 000005
【図４】
2008177826.tif 000006
【図５】
2008177826.tif 000007
【図６】
2008177826.tif 000008
【図７】
2008177826.tif 000009